(57)【特許請求の範囲】
【請求項１】
互いに平行をなす左右一対の脚体と、該左右両脚体の間に配置する座体とを備え、前記左右両脚体の間には、側面視ほぼくの字状に形成された弾性支持体を、その下端を中心に回動可能に枢支されるように配置し、前記座体から下向きに突設する支持ブラケットを、前記弾性支持体に、その前下がり状の傾斜面に沿わせて摺動自在且つ固定位置変更可能な装着手段を介して固定する一方、前記左右両脚体に適宜間隔にて穿設した取付け孔を介して、前記座体の左右両側部を高さ位置調節可能且つ後傾動可能に枢支させたことを特徴とする椅子。
【請求項２】
前記弾性支持体を金属製等の左右一対のパイプにて構成し、両パイプを側面視にてほぼくの字状に形成し、且つ両パイプの上端間を連結部にて一体的に連結し、該左右一対のパイプのうち上部側には、その前下がり状の傾斜面に沿わせて、前記支持ブラケットの下端を摺動可能に支持する摺動支持板を固定したことを特徴とする請求項１に記載の椅子。
【請求項３】
前記摺動支持板には、縦長のガイド溝孔を形成し、該ガイド溝孔に挿通するガイドピンを介して前記支持ブラケットの下端板部を摺動自在且つ離れ不能に連結したことを特徴とする請求項１または請求項２に記載の椅子。
【発明の詳細な説明】
【０００１】
【産業上の利用分野】
本発明は、座体を高さ調節自在に構成した椅子の改良に関するものである。
【０００２】
【従来の技術】
児童用の椅子は、一般に身体の成長に合わせて座体の高さを調節できるようにしている。その一例として、先行技術としての実公昭６３−４８２１２号公報には、次のような構造が記載されている。
即ち、この先行技術は、座体の左右両側に配置した左右脚体の上端を背もたれにて連結し、左右両脚体において座体が取付く部位の内側面には、側面視で後傾して延びるような傾斜案内溝を形成し、座体から下向きに突出した左右一対の支持ブラケットの下端には、前記傾斜案内溝に沿って摺動移動可能な案内ブロックを固定し、更に、脚体のうち傾斜案内溝を形成した部位に上下適宜間隔で複数個の調節孔を穿設し、この調節孔に外側から挿入したビスを、前記各案内ブロックを貫通した状態で支持ブラケットに螺着することにより、座体を調節孔の個数だけ段階的に高さ調節できるようにしたものである。
【０００３】
この先行技術によると、座体は側面視後傾状の案内溝に沿って下降するので、左右両側から１本ずつビスで締結するだけの簡単な操作により、座体の高さと前向き突出量とを同時に調節することができる利点を有する。
【０００４】
【発明が解決しようとする課題】
しかしながら、この種の椅子において、座る人の荷重が座体の後寄り部位に作用したとき、当該座体の後寄り部位が下方になるように傾く、いわゆる後傾動可能に構成されたものが無かった。しかも、この種の従来の椅子においては、いわゆるクッション性能を付与するには、座体自体にスポンジ等のクッション体を載置するしかなく、人の荷重の大きさに応じて座体が弾性的に偏位するという機能を付与したものがなかった。
【０００５】
本発明は、座体の移動操作の容易性を損なうことなく、且つ上記従来の技術の問題を解消した椅子を提供することを目的とするものである。
【０００６】
【課題を解決するための手段】
この目的を達成するため、請求項１に記載の発明の椅子は、互いに平行をなす左右一対の脚体と、該左右両脚体の間に配置する座体とを備え、前記左右両脚体の間には、側面視にてほぼくの字状に形成された弾性支持体を、その下端を中心に回動可能に枢支されるように配置し、前記座体から下向きに突設する支持ブラケットを、前記弾性支持体に、その前下がり状の傾斜面に沿わせて摺動自在且つ固定位置変更可能な装着手段を介して固定する一方、前記左右両脚体に適宜間隔にて穿設した取付け孔を介して、前記座体の左右両側部を高さ位置調節可能且つ後傾動可能に枢支させたものである。
【０００７】
また、請求項２に記載の発明は、請求項１に記載の椅子において、前記弾性支持体を金属製等の左右一対のパイプにて構成し、両パイプを側面視にて略くの字状に形成し、且つ両パイプの上端間を連結部にて一体的に連結し、該左右一対のパイプのうち上部側には、その前下がり状の傾斜面に沿わせて、前記支持ブラケットの下端を摺動可能に支持する摺動支持板を固定したものである。
【０００８】
さらに、請求項３に記載の発明は、請求項１または請求項２に記載の椅子において、前記摺動支持板には、縦長のガイド溝孔を形成し、該ガイド溝孔に挿通するガイドピンを介して前記支持ブラケットの下端板部を摺動自在且つ離れ不能に連結したものである。
【０００９】
【発明の作用・効果】
この構成において、座体から下向きに突設する支持ブラケットを、前記弾性支持体に、その前下がり状の傾斜面に沿わせて摺動自在且つ固定位置変更可能な装着手段を介して固定するので、座体の高さと前後の位置変更とを同時に調節できる。そして、座体に座る人の荷重により、側面視くの字状の弾性支持体はその下端を中心にして回動するように弾性変形し、このとき、座体の左右両側部を左右両脚体に適宜間隔にて穿設した取付け孔を介して、前記高さ位置調節可能且つ後傾動可能に枢支させたものであるから、左右脚体と座体との枢支部を中心にして当該座体は後傾動することになる。
【００１０】
しかして、座体は、その左右両側において、弾性支持体と、左右両脚体とによってそれぞれ前後２箇所で支持されているので安定的であり、且つ弾性支持体は、座体の高さ及び前後の位置変更時の固定と、座体の弾性的支持との両機能を果たすことができ、そのための構造も至極簡単なものとすることができるという効果を奏する。
【００１１】
また、請求項２に記載の発明によれば、前記弾性支持体を金属製等の左右一対のパイプにて構成し、両パイプを側面視にてほぼくの字状に形成し、且つ両パイプの上端間を連結部にて一体的に連結し、該左右一対のパイプのうち上部側には、その前下がり状の傾斜面に沿わせて、前記支持ブラケットの下端を摺動可能に支持する摺動支持板を固定したものである。つまり、弾性支持体を、側面視くの字状に屈曲させたパイプにて構成したことにより、重量が軽く且つ断面形状がコンパクトなものでありながら、剛性を高くでき、人の重量、特に座体の後部側への下向き荷重に比例した弾性変形量を付与できる構成となる。また、左右一対のパイプの上部側間を摺動支持板にて固定することにより、左右のパイプが一体的に弾性変形することができるという効果を奏するのである。
【００１２】
さらに、請求項３に記載の発明は、請求項１または請求項２に記載の椅子において、前記摺動支持板には、縦長のガイド溝孔を形成し、該ガイド溝孔に挿通するガイドピンを介して前記支持ブラケットの下端板部を摺動自在且つ離れ不能に連結したものである。従って、この傾斜状の摺動支持板に沿って座体の支持ブラケットの下端を摺動可能に支持でき、ガイドピンを介して支持ブラケットと弾性支持体とがはなれないので、座体の高さ及び前後の位置の変更調節が至極簡単にできるという効果を奏するのである。
【００１３】
【発明の実施の形態】
次に、本発明を具体化した実施例を図面に基づいて説明する。図１は椅子の一部切欠き側面図、図２は一部切欠き背面図、図３は、弾性支持体の要部斜視図である。椅子は、正面視において互いに平行をなす左右一対の脚体１，１と、該左右両脚体の間に配置した座体３と、座体３の下方に位置し、且つ左右の脚体１，１間に配置された側面視略くの字状の弾性支持体５と、該弾性支持体５に対して座体３から下向きに突設する支持ブラケット６を、前記弾性支持体に、その前下がり状の傾斜面に沿わせて摺動自在且つ位置変更可能にて固定できる装着手段４とからなる。
【００１４】
左右両脚体１は、キャスター９を備えた水平状の第１枠体１０と、側面視で第１枠体１０の前端から後傾状に延びる第２枠体１１とにより構成され、第２枠体１１の上端間には背もたれ７がねじ１２止めにて固着されている。また、左右両第２枠体１１の側面の中途高さ位置には、その斜め軸線に沿って適宜間隔にて前記座体３のための取付け孔１３が穿設され、これより下方位置の内面には、踏み板１４の左右両側端を複数段の高さ位置調節可能に支持する複数の係合溝１５を形成し、ボルト１６にて取付け替え固定できるように構成されている。
【００１５】
側面視略くの字状に形成される弾性支持体５の実施形態は、図１〜図３に示すように、金属製のパイプ５ａを側面視にて略くの字状に屈曲させ、且つ両パイプ５ａの上端間を一体的に同じく連結パイプ部５ｂにて連結してある。また、両パイプ５ａ，５ａの下端を横パイプ１７に溶接固定し、この横パイプ１７の左右両端を前記第１枠体１０の内面にピン１８，１８を介して回動可能に連結されている。
【００１６】
前記左右両パイプ５ａのうち、上部側には、その前下がり状の傾斜面に沿わせて、前記支持ブラケット６の下端連結板６ａを摺動可能に支持するための摺動支持板１９の左右両側端縁を溶接等にて固定する。この摺動支持板１９に沿わせて前記支持ブラケット６の下端連結板６ａを高さ位置調節可能に連結するための装着手段４としての実施形態は、摺動支持板１９に穿設された縦長の２列のガイド溝孔２０，２０と、摺動支持板１９の裏面に沿って摺動可能な裏板２１，２１と、前記ガイド溝孔２０に挿通する頭付きガイドピン２２とからなり、摺動支持板１９を下端連結板６ａと裏板２１とで挟んで、前記ガイドピン２２にて摺動可能となし、ガイドピン２２の先端ねじ部に螺合したナットにて支持ブラケット６と摺動支持板１９とを離れ不能に連結したものである。
【００１７】
なお、前記摺動支持板１９の縦方向に適宜間隔にて穿設された固定用孔２３に挿通した取付けボルト２４（ナット付）の下端の大径ハンドル部２５にて摺動支持板１９に下端連結板６ａを締めつけ固定するものである。
また、座体３の左右両側端に下向きに固定した前後長手の補強板３０にはその前後方向に適宜間隔にて調節孔３１が穿設されており、前記第２枠体１１における取付け孔１３と調節孔３１とが合致する箇所にて、枢支ピン３２を介して座体３の後端が下向きに回動可能なように連結されるものである。枢支ピン３２の根本部と第２枠体１１の取付け孔１３とは螺合する。
【００１８】
この構成において、座体３取付け高さ位置を変更するには、大径ハンドル部２５の回動操作にて、取付けボルト２４を外して摺動支持板１９と下端連結板６ａとの締結を一旦解除し、次いで前記左右両側の枢支ピン３２を取り外した後、支持ブラケット６を傾斜状の摺動支持板１９に沿って上方もしくは下方にずらせる。そして、左右両第２枠体１１の取付け孔１３と、座体３の左右両側の補強板３０における調節孔３１とが合致する箇所であって、且つ座体３の高さ位置が所望の値になれば、その取付け孔１３に前記枢支ピン３２を差し込んで螺合止めする一方、所定の固定用孔２３に前記取付けボルト２４を挿通させナットに螺合し、摺動支持板１９と下端連結板６ａとを締結固定すれば良い。
【００１９】
この座体３に人が座って後傾姿勢を採ると、当該座体３の後寄り部位に下向きの荷重が大きく作用する。この下向き荷重の大部分は、前記支持ブラケット６を介して、弾性支持体５の上部側に掛かることになる。このとき、側面視略くの字状のパイプ５ａは、その下端（ピン１８の箇所）を中心にして上下回動可能であると共に、前記荷重の大きさに略比例して前記パイプ５ａ自体のくの字状屈曲角度が鋭角方向に偏位するように弾性変形する。従って、座体３は前記取付け孔１３の箇所を中心にして後傾回動することができると共に、座体３の後部側を前記弾性支持体５にて弾力的に支持できることになる。
【００２０】
なお、装着手段４の構成は、前記のものに限定されることがなく、弾性支持体に、その前下がり状の傾斜面に沿わせて摺動自在且つ固定位置変更可能な機能を有する限り、等価の構成が採用できる。また、弾性支持体５はパイプに限ることはなく、板状であっても良いことは勿論である。
【図面の簡単な説明】
【図１】椅子の一部切欠き側面図である。
【図２】椅子の一部切欠き背面図である。
【図３】弾性支持体及び装着手段の要部斜視図である。
【符号の説明】
１      脚体
３      座体
４      装着手段
５      弾性支持体
５ａ      パイプ
１０      第１枠体
１１      第２枠体
１３      取付け孔
１７      横パイプ
１８      ピン
１９      摺動支持板
２０      ガイド溝孔
２１      裏板
２２      ガイドピン
２３      固定用孔
２４      取付けボルト
３０      補強板
３１      調節孔
３２      枢支ピン
【図１】
0003666530.tif 000002
【図２】
0003666530.tif 000003
【図３】
0003666530.tif 000004